(57)【要約】【課題】  誤判定が少なくかつ適用範囲が広い消費電流の削減技術を実現することが可能な携帯電話機を提供する。【解決手段】  携帯電話機（１）は、周辺基地局のサーチを行うサーチ手段（サーチ部１２１）と、周辺基地局からの受信信号レベルの測定を行う測定手段（測定部１２２）と、待ち受け中に自機が特定の場所にあるか否かを判定する判定手段（判定部１３１）と、判定手段によって自機が特定の場所にあると判定されると、サーチ手段による周辺基地局のサーチ及び測定手段による周辺基地局からの受信信号レベルの測定の少なくとも一方を停止する停止手段（停止部１３２）とを有する。【選択図】      図１
2009182539.tif 000002
【特許請求の範囲】
【請求項１】
周辺基地局のサーチを行うサーチ手段と、
前記周辺基地局からの受信信号レベルの測定を行う測定手段と、
待ち受け中に自機が特定の場所にあるか否かを判定する判定手段と、
前記判定手段によって自機が前記特定の場所にあると判定されると、前記サーチ手段による前記周辺基地局のサーチ及び前記測定手段による前記周辺基地局からの受信信号レベルの測定の少なくとも一方を停止する停止手段とを有することを特徴とする携帯電話機。
【請求項２】
自動的に若しくはユーザの操作によって、自機が静止していることの多い場所を登録する登録手段と、
前記登録手段によって登録された自機が静止していることの多い場所において取得可能な情報を静止環境情報として記憶する記憶手段とを含み、
前記判定手段は、前記記憶手段に記憶されている静止環境情報と一致する情報を取得したことを検出すると、自機が前記特定の場所にあると判定することを特徴とする請求項１記載の携帯電話機。
【請求項３】
前記登録手段によって登録された自機が静止していることの多い場所において、待ち受け基地局及び周辺基地局からの受信信号レベルを所定時間測定し、当該所定時間測定された受信信号レベルの平均値が最も高い基地局を判別するとともに、当該判別された基地局からの受信信号レベルの前記所定時間の測定結果における最低値を記録する記録手段を含み、
前記判定手段は、前記記憶手段に記憶されている静止環境情報と一致する情報を取得したことを検出し、かつ現在の待ち受け基地局からの受信信号レベルが前記記録手段に記録された前記最低値以上であることを検出すると、自機が前記特定の場所にあると判定することを特徴とする請求項２記載の携帯電話機。
【請求項４】
前記静止環境情報は、前記登録手段によって登録された自機が静止していることの多い場所において前記所定時間測定された受信信号レベルの平均値が最も高い基地局に関する基地局を特定する情報であることを特徴とする請求項２または請求項３記載の携帯電話機。
【請求項５】
前記静止環境情報は、前記登録手段によって登録された自機が静止していることの多い場所において待ち受け基地局となる時間が最も長い基地局に関する基地局を特定する情報であることを特徴とする請求項２または請求項３記載の携帯電話機。
【請求項６】
前記静止環境情報は、前記登録手段によって登録された自機が静止していることの多い場所の測位情報であることを特徴とする請求項２または請求項３記載の携帯電話機。
【請求項７】
前記判定手段は、現在の待ち受け基地局からの受信信号レベルが前記記録手段に記録された前記最低値未満となった時に自機が前記特定の場所から外れたと判定することを特徴とする請求項３から請求項６のいずれか記載の携帯電話機。
【請求項８】
前記判定手段は、現在の待ち受け基地局からの受信信号レベルが予め定められた閾値未満となった時に自機が前記特定の場所から外れたと判定することを特徴とする請求項３から請求項６のいずれか記載の携帯電話機。
【請求項９】
前記判定手段は、自機が前記特定の場所にあると判定した後、前記記憶手段に記憶されている静止環境情報と異なる情報を取得した時に自機が前記特定の場所から外れたと判定することを特徴とする請求項３から請求項６のいずれか記載の携帯電話機。
【請求項１０】
自動的に若しくはユーザの操作によって、電界強度が弱いことの多い場所を登録する登録手段と、
前記登録手段によって登録された電界強度が弱いことの多い場所において取得可能な情報を弱電界環境情報として記憶する記憶手段とを含み、
前記判定手段は、前記記憶手段に記憶されている弱電界環境情報と一致する情報を取得したことを検出すると、自機が前記特定の場所にあると判定し、前記記憶手段に記憶されている弱電界環境情報と異なる情報を受信したことを検出すると、自機が前記特定の場所から外れたと判定することを特徴とする請求項１記載の携帯電話機。
【請求項１１】
前記判定手段は、自機が充電用の装置に接続されたことを検出すると、自機が前記特定の場所にあると判定し、自機が前記充電用の装置から取り外されたことを検出すると、自機が前記特定の場所から外れたと判定することを特徴とする請求項１記載の携帯電話機。
【請求項１２】
前記判定手段によって自機が前記特定の場所から外れたと判定した時に、前記サーチ手段による前記周辺基地局のサーチ及び前記測定手段による前記周辺基地局からの受信信号レベルの測定を再開することを特徴とする請求項７から請求項１１のいずれか記載の携帯電話機。
【請求項１３】
自機が複数の通信システムに対応する場合、前記停止手段は、対応する全ての通信システムについて、前記サーチ手段による前記周辺基地局のサーチ及び前記測定手段による前記周辺基地局からの受信信号レベルの測定の少なくとも一方を停止することを特徴とする請求項１から請求項１２のいずれか記載の携帯電話機。
【請求項１４】
前記判定手段によって自機が前記特定の場所にあると判定された時に、待ち受け基地局の受信信号レベルの測定を削減する削減手段を含むことを特徴とする請求項１から請求項１３のいずれか記載の携帯電話機。
【請求項１５】
周辺基地局のサーチを行うサーチ手段と、前記周辺基地局からの受信信号レベルの測定を行う測定手段とを含む携帯電話機に用いるサーチ及びレベル測定方法であって、
待ち受け中に前記携帯電話機が特定の場所にあるか否かを判定する判定処理と、
前記判定処理によって前記携帯電話機が前記特定の場所にあると判定されると、前記サーチ手段による前記周辺基地局のサーチ及び前記測定手段による前記周辺基地局からの受信信号レベルの測定の少なくとも一方を停止する停止処理とを有することを特徴とするサーチ及びレベル測定方法。
【請求項１６】
自動的に若しくはユーザの操作によって、前記携帯電話機が静止していることの多い場所を登録する登録処理と、
前記登録処理によって登録された前記携帯電話機が静止していることの多い場所において取得可能な情報を静止環境情報として記憶手段に記憶する処理とを含み、
前記判定処理において、前記記憶手段に記憶されている静止環境情報と一致する情報を取得したことを検出すると、前記携帯電話機が前記特定の場所にあると判定することを特徴とする請求項１５記載のサーチ及びレベル測定方法。
【請求項１７】
前記登録処理によって登録された前記携帯電話機が静止していることの多い場所において、待ち受け基地局及び周辺基地局からの受信信号レベルを所定時間測定し、当該所定時間測定された受信信号レベルの平均値が最も高い基地局を判別するとともに、当該判別された基地局からの受信信号レベルの前記所定時間の測定結果における最低値を記録手段に記録する処理を含み、
前記判定処理において、前記記憶手段に記憶されている静止環境情報と一致する情報を取得したことを検出し、かつ現在の待ち受け基地局からの受信信号レベルが前記記録手段に記録された前記最低値以上であることを検出すると、前記携帯電話機が前記特定の場所にあると判定することを特徴とする請求項１６記載のサーチ及びレベル測定方法。
【請求項１８】
前記静止環境情報は、前記登録処理によって登録された前記携帯電話機が静止していることの多い場所において前記所定時間測定された受信信号レベルの平均値が最も高い基地局に関する基地局を特定する情報であることを特徴とする請求項１６または請求項１７記載のサーチ及びレベル測定方法。
【請求項１９】
前記静止環境情報は、前記登録処理によって登録された前記携帯電話機が静止していることの多い場所において待ち受け基地局となる時間が最も長い基地局を特定する情報であることを特徴とする請求項１６または請求項１７記載のサーチ及びレベル測定方法。
【請求項２０】
前記静止環境情報は、前記登録処理によって登録された前記携帯電話機が静止していることの多い場所の測位情報であることを特徴とする請求項１６または請求項１７記載のサーチ及びレベル測定方法。
【請求項２１】
前記判定処理において、現在の待ち受け基地局からの受信信号レベルが前記記録手段に記録された前記最低値未満となった時に前記携帯電話機が前記特定の場所から外れたと判定することを特徴とする請求項１７から請求項２０のいずれか記載のサーチ及びレベル測定方法。
【請求項２２】
前記判定処理において、現在の待ち受け基地局からの受信信号レベルが予め定められた閾値未満となった時に前記携帯電話機が前記特定の場所から外れたと判定することを特徴とする請求項１７から請求項２０のいずれか記載のサーチ及びレベル測定方法。
【請求項２３】
前記判定処理において、前記携帯電話機が前記特定の場所にあると判定した後、前記記憶手段に記憶されている静止環境情報と異なる情報を取得した時に前記携帯電話機が前記特定の場所から外れたと判定することを特徴とする請求項１７から請求項２０のいずれか記載のサーチ及びレベル測定方法。
【請求項２４】
自動的に若しくはユーザの操作によって、電界強度が弱いことの多い場所を登録する登録処理と、
前記登録処理によって登録された電界強度が弱いことの多い場所において取得可能な情報を弱電界環境情報として記憶手段に記憶する処理とを含み、
前記判定処理において、前記記憶手段に記憶されている弱電界環境情報と一致する情報を取得したことを検出すると、前記携帯電話機が前記特定の場所にあると判定し、前記記憶手段に記憶されている弱電界環境情報と異なる情報を受信したことを検出すると、前記携帯電話機が前記特定の場所から外れたと判定することを特徴とする請求項１５記載のサーチ及びレベル測定方法。
【請求項２５】
前記判定処理において、前記携帯電話機が充電用の装置に接続されたことを検出すると、前記携帯電話機が前記特定の場所にあると判定し、前記携帯電話機が前記充電用の装置から取り外されたことを検出すると、前記携帯電話機が前記特定の場所から外れたと判定することを特徴とする請求項１５記載のサーチ及びレベル測定方法。
【請求項２６】
前記判定処理によって前記携帯電話機が前記特定の場所から外れたと判定された時に、前記サーチ手段による前記周辺基地局のサーチ及び前記測定手段による前記周辺基地局からの受信信号レベルの測定を再開することを特徴とする請求項２１から請求項２５のいずれか記載のサーチ及びレベル測定方法。
【請求項２７】
前記携帯電話機が複数の通信システムに対応する場合、前記停止処理において、対応する全ての通信システムについて、前記サーチ手段による前記周辺基地局のサーチ及び前記測定手段による前記周辺基地局からの受信信号レベルの測定の少なくとも一方を停止することを特徴とする請求項１５から請求項２６のいずれか記載のサーチ及びレベル測定方法。
【請求項２８】
前記判定処理によって前記携帯電話機が前記特定の場所にあると判定された時に、待ち受け基地局の受信信号レベルの測定を削減する削減処理を含むことを特徴とする請求項１５から請求項２７のいずれか記載のサーチ及びレベル測定方法。
【発明の詳細な説明】
【技術分野】
【０００１】
本発明は携帯電話機並びにそれに用いるサーチ及びレベル測定方法に関し、特に携帯電話機の待ち受け状態での基地局のサーチと基地局からの受信信号レベルの測定に関する。
【背景技術】
【０００２】
本発明に関連する携帯電話機では、通常の待ち受け状態において、場所の移動に合わせて待ち受け基地局を移動（変更）するために、待ち受け基地局の受信信号レベルの測定を行っている。ここで、待ち受け基地局とは、携帯電話機がページングチャネルを受信している基地局（Ｓｅｒｖｉｎｇ  Ｃｅｌｌ）である。
【０００３】
また、上記の携帯電話機では、受信信号レベルの測定だけでなく、その周辺基地局についても、未検出の基地局についてはサーチを行ったり、検出済みの基地局については受信信号レベルを測定している。ここで、周辺基地局とは、待ち受け基地局の報知情報によって、周辺基地局として周波数、拡散符号（Ｓｃｒａｍｂｌｉｎｇ  Ｃｏｄｅ）の情報が指定されている基地局（Ｍｏｎｉｔｏｒ  Ｃｅｌｌ）である。
【０００４】
この場合、上記の携帯電話機では、受信信号レベルを測定した結果、待ち受け基地局の受信信号レベルが周辺基地局の受信信号レベルより高くなって、一定時間が経過した場合、その周辺基地局を新しい待ち受け基地局としている。
【０００５】
しかしながら、携帯電話機が、移動が行われず、静止状態にある場合には、これら周辺基地局のサーチや受信信号レベルの測定が意味を成しておらず、無駄な消費電流を生じることとなる。
【０００６】
さらに、上記の携帯電話機では、例え静止していたとしても、待ち受け基地局や周辺基地局の受信信号レベルがフェージングによって絶えず変動して見えることもあり、待ち受け基地局の受信信号レベルが周辺基地局の受信信号レベル未満になるという条件を満たしてしまい、特定の基地局間で待ち受け基地局の移動を繰り返してしまう現象が発生することもある。この場合にも、やはり無駄な消費電流を生じることとなる。
【０００７】
携帯電話機においては、待ち受け時間の長さが商品性の重要な要素の一つとなっており、消費電流の削減技術が多数考案されている。この消費電流の削減技術としては、例えば、ＷＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ）システムの場合、３ＧＰＰ（３ｒｄ  Ｇｅｎｅｒａｔｉｏｎ  Ｐａｒｔｎｅｒｓｈｉｐ  Ｐｒｏｊｅｃｔ）において、待ち受け基地局の受信信号レベルが一定値以上あれば、周辺基地局のサーチや受信信号レベル測定を停止する仕組みが規定されている（例えば、非特許文献１参照）。
【０００８】
また、他の消費電流の削減技術としては、携帯電話機そのものが移動状態か、静止状態かを判断し、静止状態の場合、周辺基地局の受信信号レベル測定を停止する仕組みが考案されている（例えば、特許文献１参照）。
【０００９】
【特許文献１】特開２００５−１６７３１８号公報
【非特許文献１】“Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ  ａｎｄ  ｐｒｏｃｅｄｕｒｅｓ  ｆｏｒ  ｃｅｌｌ  ｒｅｓｅｌｅｃｔｉｏｎ  ｉｎ  ｃｏｎｎｅｃｔｅｄ  ｍｏｄｅ  （Ｒｅｌｅａｓｅ  ７）［３ＧＰＰ  ＴＳ２５．３０４  Ｖ７．３．０（２００７−０９）］
【発明の開示】
【発明が解決しようとする課題】
【００１０】
しかしながら、これらの背景技術では、携帯電話機の置かれている様々な環境に対応することができないという問題がある。例えば、上記の非特許文献１に記載の技術では、基地局から離れた電解強度の弱い場所において静止している場合、待ち受け基地局の受信信号レベルが一定値を超えないため、例え静止していたとしても、周辺基地局の測定を停止することができないという問題がある。
【００１１】
また、上記の特許文献１に記載の技術では、携帯電話機そのものが移動状態か、静止状態かを判断しているが、状態を誤判定してしまうという問題が発生し、移動中の場合でも測定を停止してしまったり、逆に静止状態の場合でも、周辺基地局の測定を続けてしまうという問題がある。
【００１２】
このように、上記の背景技術では、携帯電話機の置かれている様々な環境に対応しきれていない部分があり、効果がみられる環境もあるが、効果が見られない環境も数多くある。そのため、本発明に関連する基地局のサーチと基地局からの受信信号レベルの測定では、適用範囲が広く、誤判定の少ない消費電流の削減技術が重要となっている。
【００１３】
そこで、本発明の目的は上記の問題点を解消し、誤判定が少なくかつ適用範囲が広い消費電流の削減技術を実現することができる携帯電話機並びにそれに用いるサーチ及びレベル測定方法を提供することにある。
【課題を解決するための手段】
【００１４】
本発明による携帯電話機は、
周辺基地局のサーチを行うサーチ手段と、
前記周辺基地局からの受信信号レベルの測定を行う測定手段と、
待ち受け中に自機が特定の場所にあるか否かを判定する判定手段と、
前記判定手段によって自機が前記特定の場所にあると判定されると、前記サーチ手段による前記周辺基地局のサーチ及び前記測定手段による前記周辺基地局からの受信信号レベルの測定の少なくとも一方を停止する停止手段とを備えている。
【００１５】
本発明によるサーチ及びレベル測定方法は、周辺基地局のサーチを行うサーチ手段と、前記周辺基地局からの受信信号レベルの測定を行う測定手段とを含む携帯電話機に用いるサーチ及びレベル測定方法であって、
待ち受け中に前記携帯電話機が特定の場所にあるか否かを判定する判定処理と、
前記判定処理によって前記携帯電話機が前記特定の場所にあると判定されると、前記サーチ手段による前記周辺基地局のサーチ及び前記測定手段による前記周辺基地局からの受信信号レベルの測定の少なくとも一方を停止する停止処理とを備えている。
【発明の効果】
【００１６】
本発明は、上記のような構成及び動作とすることで、誤判定が少なくかつ適用範囲が広い消費電流の削減技術を実現することができるという効果が得られる。
【発明を実施するための最良の形態】
【００１７】
次に、本発明の実施の形態について図面を参照して説明する。図１は本発明の第１の実施の形態に係る携帯電話機の構成例を示すブロック図である。図１において、携帯電話機１は、アンテナ１１と、無線部１２と、制御部［ＣＰＵ（中央処理装置）］１３と、本体操作部１４と、記憶部１５とを含んで構成されている。
【００１８】
無線部１２は、通常実施している周辺基地局のサーチを行うサーチ部１２１と、周辺基地局からの受信信号レベルの測定を行う測定部１２２とを備えている。制御部１３は、携帯電話機１が予め登録された特定の場所に置かれているかどうかを判定する判定部１３１と、無線部１２による周辺基地局のサーチ及び受信信号レベルの測定の停止や開始を制御する停止部１３２とを備えている。
【００１９】
ここで、受信信号レベルとして、ＷＣＤＭＡ（Ｗｉｄｅ−ｂａｎｄ  Ｃｏｄｅ  Ｄｉｖｉｓｉｏｎ  Ｍｕｌｔｉｐｌｅ  Ａｃｃｅｓｓ）システムであれば共通チャネルのノイズ信号比Ｅｃ／Ｎ０やＲＳＣＰ（Ｒｅｃｅｉｖｅｄ  Ｓｉｇｎａｌ  Ｃｏｄｅ  Ｐｏｗｅｒ）等が、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムであればＲｘＬｅｖ等が、それぞれ挙げられるが、これらに限定されるものではない。
【００２０】
記憶部１５は、判定部１３１及び停止部１３２による制御処理を制御部１３が実行するためのプログラムを記憶するとともに、静止環境情報を記憶する静止環境情報記憶領域１５１を含んでいる。ここで、「静止環境情報」とは、例えば自宅や会社のように、携帯電話機１が静止状態にあることの多い場所（静止環境）において取得された各種の情報のことをいう。
【００２１】
図２は本実施の形態に係る携帯電話機１の基本動作を示すフローチャートである。ここで、図１と図２とを参照して、本実施の形態に係る携帯電話機１の基本動作を説明する。
【００２２】
携帯電話機１は、はじめに静止環境情報を取得し、これを記憶部１５の静止環境情報記憶領域１５１に記憶する（図２ステップＳ１）。続いて、携帯電話機１は、現在の位置において取得される情報と静止環境情報記憶領域１５１に記憶されている情報とに基づいて、携帯電話機１、すなわち自機が「特定の場所」にあるか否かの判定を行う（図２ステップＳ２）。
【００２３】
携帯電話機１は、自機が「特定の場所」にあると判定した場合（図２ステップＳ２においてＹＥＳ）、通常実施しているサーチ部１２１による周辺基地局のサーチ及び測定部１２２による受信信号レベル測定の両方、もしくはそれらのうちのいずれか一方を停止する（図２ステップＳ３）。以下に、図２の各ステップの具体例を挙げる。
【００２４】
図３は本実施の形態に係る携帯電話機１の遷移状態を示す図であり、図４は図１の制御部１３による静止環境情報の記録手順の一例を示すフローチャートである。図１、図３及び図４を参照して、本実施の形態における静止環境情報の記録処理の手順（図２ステップＳ１に対応）の一例について説明する。
【００２５】
この例では、携帯電話機１の使用者が、自宅や会社等の静止していることの多い場所［図３の（１）の状態］であると認識している場所において、携帯電話機１の本体操作部１４にて所定の操作を行うことによって、その場所を静止環境として登録しておくことができるようになっている。
【００２６】
携帯電話機１の制御部１３は、使用者による本体操作部１４の所定の操作があると（図４ステップＳ１１においてＹＥＳ）、その場所を静止していることの多い場所、すなわち静止環境として登録する（図４ステップＳ１２）。そして、制御部１３は、静止環境において取得可能な各種の情報を取得する（図４ステップＳ１３）とともに、取得した情報のうち、所定の情報を記憶部１５の静止環境情報記憶領域１５１に記憶する（図４ステップＳ１４）。
【００２７】
図４ステップＳ１３の処理において、取得可能な情報が複数ある場合には、図４ステップＳ１４の処理において、それらのうちの一の情報のみを静止環境情報記憶領域１５１に記憶してもよいし、二以上の情報を記憶してもよい。あるいは、取得可能な情報をすべて静止環境情報記憶領域１５１に記憶するようにしてもよい。
【００２８】
図５は図１の制御部１３の判定部１３１による判定手順の一例を示すフローチャートである。図１、図３及び図５を参照して、本実施の形態における判定処理の手順（図２ステップＳ２に対応）の一例について説明する。
【００２９】
判定部１３１は、待ち受け状態において、現在の位置において取得可能な情報を、無線部１２等を通じて取得する（図５ステップＳ２１）とともに、取得した情報と静止環境情報記憶領域１５１に記憶されている情報との比較を行う（図５ステップＳ２２）。判定部１３１は、この比較の結果、取得した情報と静止環境情報記憶領域１５１に記憶されている情報とが一致するか否かの判断を行う（図５ステップＳ２３）。
【００３０】
尚、図５ステップＳ２２の処理では、静止環境情報記憶領域１５１に一の情報だけが記憶されている場合、取得した情報のうちの一の情報だけを用いて比較を行い、静止環境情報記憶領域１５１に複数の情報が記憶されている場合、取得した複数の情報を用いて比較を行うようにしてもよい。また、取得した複数の情報を用いて比較を行う場合には、それらが静止環境情報記憶領域１５１に記憶されている情報と完全に同じである場合に一致すると判断するようにしてもよいし、部分的に同じであれば一致すると判断するようにしてもよい。
【００３１】
判定部１３１は、比較の結果、現在の位置において取得可能な情報と静止環境情報記憶領域１５１に記憶されている情報が一致すると判断した場合（図５ステップＳ２３においてＹＥＳ）、携帯電話機１が静止していることの多い場所として登録された場所、すなわち「特定の場所」にあると判定する（図５ステップＳ２４）。判定部１３１は、その判定結果を停止部１３１に出力する（図５ステップＳ２５）。
【００３２】
一方、判定部１３１は、現在の位置において取得される各種の情報と静止環境情報記憶領域１５１に記憶されている情報とが異なると判断した場合（図５ステップＳ２３においてＮＯ）、携帯電話機１が「特定の場所」から外れていると判定する（図５ステップＳ２６）。判定部１３１は、その判定結果を停止部１３１に出力する（図５ステップＳ２５）。
【００３３】
図６は図１の制御部１３の停止部１３２によるサーチ及び信号レベル測定の停止手順の一例を示すフローチャートである。図１及び図６を参照して、本実施の形態におけるサーチ及び信号レベル測定の停止処理の手順（図２ステップＳ３に対応）の一例について説明する。
【００３４】
停止部１３２は、判定部１３１から携帯電話機１が特定の場所にあると判定された旨の判定結果の入力を受けると（図６ステップＳ３１においてＹＥＳ）、通常実施しているサーチ部１２１による周辺基地局のサーチ及び測定部１２２による受信信号レベル測定の少なくとも一方を停止する（図６スッテプＳ３２）。尚、この場合でも、携帯電話機１は待ち受け基地局からの受信信号レベルの測定を継続する。
【００３５】
その後、停止部１３２は、判定部１３１から携帯電話機１が「特定の場所」から外れていると判定された旨の判定結果の入力を受けるまで（図６ステップＳ３３においてＮＯ）、図６ステップＳ３２の処理で停止したサーチ部１２１による周辺基地局のサーチ及び測定部１２２による受信信号レベル測定の少なくとも一方を停止した状態を継続する。
【００３６】
一方、停止部１３２は、判定部１３１から携帯電話機１が「特定の場所」から外れていると判定された旨の判定結果の入力を受けると（図６ステップＳ３３においてＹＥＳ）、ステップＳ３２の処理で停止したサーチ部１２１による周辺基地局のサーチ及び測定部１２２による受信信号レベル測定を再開する（図６ステップＳ３４）。
【００３７】
この時、ステップＳ３２の処理において、サーチ部１２１による周辺基地局のサーチ及び測定部１２２による受信信号レベル測定の両方を停止したのであれば、両方を再開することになるし、いずれか一方だけを停止したのであれば、停止した方だけを再開することになる。
【００３８】
その後、停止部１３２は、再びステップＳ３１の処理に戻り、判定部１３１から携帯電話機１が「特定の場所」から外れていると判定された旨の判定結果の入力がないかどうかの監視を続ける。
【００３９】
このように、本実施の形態では、携帯電話機１が「特定の場所」にある場合、携帯電話機１が実際に移動状態であるか静止状態であるかにかかわらず、周辺基地局のサーチ及び周辺基地局からの受信信号レベルの測定、あるいはこれらのうちのいずれか一方を停止する。本実施の形態では、特に、周辺基地局のサーチおよび周辺基地局からの受信信号レベルの測定の両方を停止した場合、消費電流を約１／２程度に削減することが可能となる。例えば、一般的な携帯電話機の場合、周辺基地局のサーチや受信信号レベルの測定を実施した場合の平均電流は約１．６ｍＡであるのに対して、周辺基地局のサーチや受信信号レベルの測定を停止した場合の平均電流は約０．８ｍＡとなる。
【００４０】
また、停止するかどうかは、携帯電話機１が実際に移動状態であるか、静止状態であるかの判定結果ではなく、「特定の場所」にあるかどうかの判定結果だけに基づくため、誤判定の可能性は格段に低くなる。したがって、本実施の形態では、誤判定によって、無駄に周辺基地局のサーチや周辺基地局からの受信信号レベルの測定を続行することを防ぐことができる。
【００４１】
また、上述した非特許文献１に記載の方法では対応することができない電解強度の弱い場所であっても、本実施の形態では、静止環境にあることが分かれば、周辺基地局の測定を停止することができる。よって、本実施の形態では、適用範囲が広く、誤判定の少ない消費電流の削減技術を実現することができる。
【００４２】
尚、本実施の形態においては、使用者が、携帯電話機１が静止していることの多い場所と認識している場所において、本体操作部１４の所定の操作を行うことによって、その場所を静止環境として登録するとともに、その場所で取得できる静止環境情報が記憶部１５の静止環境情報記憶領域に記憶されるが、これに限られるものではない。また、本実施の形態では、携帯電話機１が自動的に静止していることの多い場所を認識し、その場所を静止環境として登録するとともに、その場所で取得できる情報を、静止環境情報として記憶部１５の静止環境情報記憶領域１５１に記憶するようにしてもよい。
【００４３】
携帯電話機１が自動的に静止していることの多い場所を登録するためには、一例として、図示していないが、ＧＰＳ（Ｇｌｏｂａｌ  Ｐｏｓｉｔｉｏｎｉｎｇ  Ｓｙｓｔｅｍ）を用いた手法あるいは加速度センサを用いた手法が挙げられる。つまり、本実施の形態では、図４のステップＳ１１の処理に代えて、例えば、ＧＰＳによって得られる測位情報、もしくは加速度センサに基づいて、携帯電話機１が所定時間移動しなかった（あるいは、移動はしたが、予め決められた閾値以下だった）ことを検出した場合、その場所を静止していることの多い場所、すなわち静止環境として登録するようにしてもよい。
【００４４】
また、本実施の形態では、携帯電話機１が、所定時間移動しなかった（あるいは、移動はしたが、予め決められた閾値以下だった）ことを検出した場合、その検出した回数をカウントし、カウントした回数が所定の回数を超えた時に、その場所を静止環境として登録するようにしてもよい。
【００４５】
携帯電話機１が自動的に静止していることの多い場所を登録するための、他の手法としては、充電用の装置に接続されたかどうかを検出する手法が挙げられる。つまり、本実施の形態では、図４のステップＳ１１の処理に代えて、例えば、携帯電話機１が充電用の装置に接続されると、接続されたことを検出し、その場所を静止環境として登録するようにしてもよい。
【００４６】
この場合には、検出された充電用装置の種類に応じて、静止していることの多い場所として登録するか否かを決定するように制御してもよい。例えば、接続された充電用の装置が自動車のシガープラグ用のものであることを識別した場合には、その場所を静止環境として登録することを禁止するように制御してもよい。
【００４７】
また、本実施の形態では、上述した通り、停止部１３２が判定部１３１から携帯電話機１が「特定の場所」にあると判定された旨の判定結果の入力を受けて（図６ステップＳ３１においてＹＥＳ）、通常実施しているサーチ部１２１による周辺基地局のサーチ及び測定部１２２による受信信号レベル測定の少なくとも一方を停止した場合（図６スッテプＳ３２）であっても、携帯電話機１は待ち受け基地局からの受信信号レベルの測定を継続する。しかしながら、この場合には、測定部１２２による待ち受け基地局からの受信信号レベルの測定を削減してもよい。
【００４８】
具体的には、待ち受け状態では、通常、待ち受け基地局からのページングチャネルを周期的に受信し、それに同期して待ち受け基地局の受信信号レベルを測定しているが、例えば、ページングチャネルを５回受信する毎に、１回待ち受け基地局の受信信号レベルを測定するといったように、測定間隔を間引くことによって、測定を削減してもよい。これによって、本実施の形態では、さらに消費電力の削減が可能となる。
【００４９】
また、本実施の形態としては、停止部１３２にヒステリシス的なタイマを設けてもよい。具体的には、判定部１３１から携帯電話機１が「特定の場所」にあると判定された旨の判定結果の入力を受けた場合に（図６ステップＳ３１においてＹＥＳ）、図６ステップＳ３２の処理において、すぐに、サーチ部１２１による周辺基地局のサーチ及び測定部１２２による受信信号レベル測定の少なくとも一方を停止するのではなく、例えば３０秒というように、一定の時間をおいてから、停止するようにしてもよい。
【００５０】
図７は本発明の第２の実施の形態に係る携帯電話機の構成を示すブロック図である。図７において、本発明の第２の実施の形態に係る携帯電話機１ａは、図１に示す本発明の第１の実施の形態に係る携帯電話機１の構成に加えて、記憶部１５に信号レベル記録領域１５２を追加している。
【００５１】
図８は本発明の第２の実施の形態に係る携帯電話機１ａの遷移状態を示す図であり、図９は本発明の第２の実施の形態に係る携帯電話機１ａの制御部１３による静止環境情報の記憶処理の手順の一例を示すフローチャートである。尚、本発明の第２の実施の形態に係る携帯電話機１ａの判定手順、並びにサーチ及び信号レベル測定の停止手順については、それぞれ図５及び図６に示す手順、つまり本発明の第１の実施の形態に係る携帯電話機１と同じ手順となっている。
【００５２】
本発明の第２の実施の形態に係る携帯電話機１ａの記憶部１５の信号レベル記憶領域１５２には、静止環境として登録された場所で測定している待ち受け基地局及び周辺基地局各々からの受信信号レベルが一定時間記録される。図８の（１）に示す例では、基地局Ａと基地局Ｂとが検出されており、それぞれからの受信信号レベルが記録される。
【００５３】
以下、図７〜図９を参照して、本発明の第２の実施の形態に係る携帯電話機１ａの制御部１３による静止環境情報の記憶処理の手順の一例について説明する。
【００５４】
携帯電話機１ａの制御部１３は、使用者による本体操作部１４の所定の操作があると（図９ステップＳ４１においてＹＥＳ）、その場所を静止していることの多い場所、すなわち静止環境として登録する（図９ステップＳ４２）。尚、上記の本発明の第１の実施の形態と同様に、静止環境の登録については、携帯電話機１ａの使用者による所定の操作に応じて行うようにしてもよいし、自動的に行うようにしてもよい。
【００５５】
そして、制御部１３は、その場所で測定している待ち受け基地局及び周辺基地局各々からの受信信号レベルを、記憶部１５の信号レベル記録領域１５２に一定時間記録する（図９ステップＳ４３）。例えば、図８の（１）において、サーチ部１２１によるサーチの結果、基地局Ａと基地局Ｂとを検出していたとすると、基地局Ａ及び基地局Ｂ各々からの受信信号レベルを記録する。
【００５６】
制御部１３は、記録した受信信号レベルに基づいて、上記の一定時間における基地局の平均値を算出する（図９ステップＳ４４）。図８の（１）に示す例では、基地局Ａからの受信信号レベルの平均値が−８０ｄＢｍ、基地局Ｂからの受信信号レベルの平均値が−９５ｄＢｍである。そして、制御部１３は、この算出結果に基づいて、最も受信信号レベルの平均値が高い一の基地局を特定する（図９ステップＳ４５）。制御部１３は、この特定した基地局に関する「基地局を特定する情報」を静止環境情報として、記憶部１５の静止環境情報記憶領域１５１に記憶する（図９ステップＳ４６）。
【００５７】
図８の（１）に示す例では、基地局Ａからの受信信号レベルの平均値が最も高いため、基地局Ａが特定され、この基地局Ａに関する「基地局を特定する情報」が記憶部１５の静止環境情報記憶領域１５１に記憶される。ここで、「基地局を特定する情報」とは、サーチ部１２１によるサーチの結果検出された一または複数の基地局から取得できる各種情報のうち、それによってどの基地局と通信しているのかを特定することができる情報のことをいう。
【００５８】
具体的には、ＷＣＤＭＡシステムであれば、周波数、拡散符号（Ｓｃｒａｍｂｌｉｎｇ  Ｃｏｄｅ）、ＰＬＭＮ（Ｐｕｂｌｉｃ  Ｌａｎｄ  Ｍｏｂｉｌｅ  Ｎｅｔｗｏｒｋ）の組み合わせ、またはＣｅｌｌ  Ｉｄｅｎｔｉｔｙ等が「基地局を特定する情報」の一例として挙げられる。
【００５９】
尚、ＰＬＭＮは、ＭＣＣ（Ｍｏｂｉｌｅ  Ｃｏｕｎｔｒｙ  Ｃｏｄｅ：国番号）と、ＭＮＣ［Ｍｏｂｉｌｅ  Ｎｅｔｗｏｒｋ  Ｃｏｄｅ：ネットワーク（オペレータ）番号］との組み合わせであって、基地局の報知情報に含まれて基地局から送信されてくる。また、Ｃｅｌｌ  Ｉｄｅｎｔｉｔｙは、基地局番号を表し、基地局の報知情報に含まれて基地局から送信されてくる。
【００６０】
さらに、ＧＳＭ／ＧＰＲＳ（Ｇｅｎｅｒａｌ  Ｐａｃｋｅｔ  Ｒａｄｉｏ  Ｓｅｒｖｉｃｅ）システムであれば、周波数、ＢＳＩＣ（Ｂａｓｅ  ｔｒａｎｓｃｅｉｖｅｒ  Ｓｔａｔｉｏｎ  Ｉｄｅｎｔｉｔｙ  Ｃｏｄｅ：基地局を識別する番号）及びこれらの組み合わせ等が「基地局を特定する情報」の一例として挙げられる。尚、「基地局を特定する情報」としては、上記の情報以外の情報でもよく、これらに限定されない。
【００６１】
このように、本実施の形態では、最も受信信号レベルの平均値が高い一の基地局に関する「基地局を特定する情報」を静止環境情報の一例として、記憶部１５の静止環境情報記憶領域１５１に記憶する。したがって、本実施の形態では、特定の場所にあるかどうかの判定の精度向上を図ることができる。
【００６２】
また、本実施の形態では、一の基地局に関する「基地局を特定する情報」を記憶するため、静止環境情報記憶領域１５１の容量を小さくしても対応できる。さらに、本実施の形態では、「基地局を特定する情報」が基地局から容易に入手できるため、環境による制約が少ない。よって、本実施の形態でも、適用範囲が広く、誤判定の少ない消費電流の削減技術を実現することができる。
【００６３】
図１０は本発明の第３の実施の形態に係る携帯電話機の構成を示すブロック図である。図１０において、本発明の第３の実施の形態に係る携帯電話機１ｂは、図１に示す本発明の第１の実施の形態に係る携帯電話機１の構成に加えて、記憶部１５に待ち受け基地局時間記録領域１５３を追加している。
【００６４】
図１１は本発明の第３の実施の形態に係る携帯電話機１ｂの遷移状態を示す図であり、図１２は本発明の第３の実施の形態に係る携帯電話機１ｂの制御部１３による静止環境情報の記憶処理の手順の一例を示すフローチャートである。尚、本発明の第３の実施の形態に係る携帯電話機１ｂの判定手順、並びにサーチ及び信号レベル測定の停止手順については、それぞれ図５及び図６に示す手順、つまり本発明の第１の実施の形態に係る携帯電話機１と同じ手順となっている。
【００６５】
本発明の第３の実施の形態に係る携帯電話機１ｂの記憶部１５の待ち受け基地局時間記録領域１５３には、静止環境として登録された場所で検出された各々の基地局について、待ち受け基地局となった時間が記録される。図１１の（１）に示す例では、基地局Ａと基地局Ｂとが検出されており、それぞれの基地局が待ち受け基地局となった時間が記録される。
【００６６】
図１０〜図１２を参照して、本発明の第３の実施の形態に係る携帯電話機１ｂの制御部１３による静止環境情報の記憶処理の手順の一例について説明する。
【００６７】
携帯電話機１ｂの制御部１３は、使用者による本体操作部１４の所定の操作があると（図１２ステップＳ５１においてＹＥＳ）、その場所を静止していることの多い場所、すなわち静止環境として登録する（図１２ステップＳ５２）。尚、上記の本発明の第１の実施の形態と同様に、静止環境の登録については、携帯電話機１ｂの使用者による所定の操作に応じて行うようにしてもよいし、自動的に行うようにしてもよい。
【００６８】
そして、制御部１３は、その場所で検出された基地局それぞれについて、一定時間内に待ち受け基地局となった時間を測定し、記憶部１５の待ち受け基地局時間記録領域１５３に記録する（図１２ステップＳ５３）。例えば、図１１の（１）に示す例では、６０秒間の測定において、基地局Ａが５５秒間、基地局Ｂが５秒間、それぞれ待ち受け基地局になっており、それぞれの時間を記録する。
【００６９】
制御部１３は、記憶部１５の待ち受け基地局時間記録領域１５３に記録した時間に基づいて、上記の一定時間において、待ち受け基地局となっていた時間が最も長い基地局を特定する（図１２ステップＳ５４）。制御部１３は、この特定した基地局に関する「基地局を特定する情報」を静止環境情報として、記憶部１５の静止環境情報記憶領域１５１に記憶する（図１２ステップＳ５５）。図１１の（１）に示す例では、基地局Ａが、待ち受け基地局となっている時間が最も長いため、基地局Ａが特定され、この基地局Ａに関する「基地局を特定する情報」が記憶部１５の静止環境情報記憶領域１５１に記憶される。
【００７０】
このように、本実施の形態では、待ち受け基地局となっていた時間が最も長い一の基地局に関する「基地局を特定する情報」を静止環境情報の一例として、記憶部１５の静止環境情報記憶領域１５１に記憶する。したがって、本実施の形態では、「特定の場所」にあるかどうかの判定の精度向上を図ることができる。
【００７１】
また、本実施の形態では、一の基地局に関する「基地局を特定する情報」を記憶するため、静止環境情報記憶領域１５１の容量を小さくしても対応できる。さらに、本実施の形態では、「基地局を特定する情報」が基地局から容易に入手できるため、環境による制約が少ない。よって、本実施の形態でも、適用範囲が広く、誤判定の少ない消費電流の削減技術を実現することができる。
【００７２】
図１３は本発明の第４の実施の形態に係る携帯電話機の構成を示すブロック図である。図１３において、本発明の第４の実施の形態に係る携帯電話機１ｃは、図７に示す本発明の第２の実施の形態に係る携帯電話機１ａの構成に加えて、記憶部１５に最低値記憶領域１５４を追加している。
【００７３】
図１４は本発明の第４の実施の形態に係る携帯電話機１ｃの遷移状態を示す図であり、図１５は本発明の第４の実施の形態に係る携帯電話機１ｃの制御部１３の判定部１３１による判定手順の一例を示すフローチャートである。尚、本発明の第４の実施の形態に係る携帯電話機１ｃの静止環境情報の記憶処理の手順については、図９に示す手順、つまり本発明の第２の実施の形態に係る携帯電話機１ａと同じ手順となっている。また、本発明の第４の実施の形態に係る携帯電話機１ｃのサーチ及び信号レベル測定の停止手順については、図６に示す手順、つまり本発明の第１の実施の形態に係る携帯電話機１と同じ手順となっている。
【００７４】
本発明の第４の実施の形態に係る携帯電話機１ｃの記憶部１５の最低値記憶領域１５４には、図９のステップＳ４３において信号レベル記憶領域１５２に一定時間記録された信号レベルのうち、図９のステップＳ４５において受信信号レベルの平均値が最も高い基地局として特定された基地局からの受信信号レベルの、上記の一定時間における最低値が記憶されている。図１４の（１）に示す例では、受信信号レベルの平均値が最も高い基地局として基地局Ａが特定されるので、基地局Ａの記録時間内における最低値である−９０ｄＢｍが最低値として記憶される。
【００７５】
図９と図１３〜図１５とを参照して、本発明の第４の実施の形態に係る携帯電話機１ｃの制御部１３の判定部１３１による判定手順の一例について説明する。
【００７６】
判定部１３１は、待ち受け状態において、現在の位置において取得可能な情報を、無線部１２等を通じて取得する（図１５ステップＳ６１）。判定部１３１は、この取得した情報と静止環境情報記憶領域１５１に記憶されている情報との比較を行う（図１５ステップＳ６２）。判定部１３１は、この比較の結果、取得した情報と静止環境情報記憶領域１５１に記憶されている情報とが一致するか否かの判断を行う（図１５ステップＳ６３）。
【００７７】
尚、本実施の形態では、ステップＳ６２の処理において、現在の位置において取得される複数の情報のうち一の情報だけを静止環境情報との比較に用いることとする。いずれの情報を比較に用いるかは、静止環境情報記憶領域１５１に記憶された情報に応じて決めてもよい。
【００７８】
本実施の形態では、図９のステップＳ４６において、静止環境情報記憶領域１５１に、受信信号レベルの平均値が最も高い基地局［図１４の（１）の例では、基地局Ａ］に関する「基地局を特定する情報」が記憶されているので、現在の位置において取得可能な情報の一例として、現在待ち受け基地局となっている基地局に関する「基地局を特定する情報」を比較に用いることとする。
【００７９】
判定部１３１は、比較の結果、現在の待ち受け基地局に関する「基地局を特定する情報」と静止環境情報記憶領域１５１に記憶されている情報とが一致すると判断した場合（図１５ステップＳ６３においてＹＥＳ）、記憶部１５の最低値記憶領域１５４に記憶された最低値を読出し、これと現在の待ち受け基地局からの受信信号レベルとの比較を行う（図１５ステップＳ６４）。
【００８０】
判定部１３１は、比較の結果、現在の待ち受け基地局からの受信信号レベルが、上記の最低値以上であると判断した場合（図１５ステップＳ６５においてＹＥＳ）、携帯電話機１ｃが静止していることの多い場所として登録された場所、すなわち「特定の場所」にあると判定する（図１５ステップＳ６６）。判定部１３１は、その判定結果を停止部１３２に出力する（図１５ステップＳ６７）。
【００８１】
一方、判定部１３１は、現在の待ち受け基地局に関する「基地局を特定する情報」と静止環境情報記憶領域１５１に記憶されている情報とが異なると判断した場合（図１５ステップＳ６３においてＮＯ）、もしくは現在の待ち受け基地局からの受信信号レベルが記憶部１５の最低値記憶領域１５４に記憶された最低値未満であると判断した場合（図１５ステップＳ６５においてＮＯ）、携帯電話機１ｃが「特定の場所」から外れていると判定する（図１５ステップＳ６８）。判定部１３１は、その判定結果を停止部１３２に出力する（図１５ステップＳ６７）。
【００８２】
図１４の（１）に示す例では、サーチの結果、基地局Ａと基地局Ｂとが検出されているものとする。図１４の（１）に示すように、携帯電話機１ｃが自宅に存在する場合には、基地局Ａが待ち受け基地局であるため、現在の待ち受け基地局に関する「基地局を特定する情報」と静止環境情報記憶領域１５１に記憶されている情報とが一致する。また、基地局Ａからの現在の受信信号レベルは−８２ｄＢｍであり、記憶部１５の最低値記憶領域１５４に記憶された最低値である−９０ｄＢｍ以上である。
【００８３】
したがって、携帯電話機１ｃは、自機が「特定の場所」にあると判定し、未検出の周辺基地局のサーチと検出された周辺基地局（この例では、基地局Ｂ）からの受信信号レベルの測定の両方、もしくはそれらのうちのいずれか一方を停止する。
【００８４】
次に、携帯電話機１ｃが屋外に移動して、図１４の（２）に示す状態になったとする。ここでは、サーチの結果、基地局Ａと基地局Ｃとが検出されているものとする。この場合に、待ち受け基地局が基地局Ｃになったとすると、現在の待ち受け基地局に関する「基地局を特定する情報」と静止環境情報記憶領域１５１に記憶されている情報とが異なるため、携帯電話機１ｃは「特定の場所」から外れたと判定される。
【００８５】
一方、図１４の（２）に示す状態において、待ち受け基地局が基地局Ａのままであったとしても、受信信号レベルが−９８ｄＢｍとなり、記憶部１５の最低値記憶領域１５４に記憶された最低値である−９０ｄＢｍを下回るため、携帯電話機１ｃは「特定の場所」から外れたと判定される。
【００８６】
したがって、携帯電話機１ｃは、未検出の周辺基地局のサーチと検出された周辺基地局からの受信信号レベルの測定とを再開する。尚、未検出の周辺基地局のサーチと検出された周辺基地局からの受信信号レベルの測定とのいずれか一方を停止していた場合には、その停止していた方を再開する。
【００８７】
このように、本実施の形態では、「特定の場所」にあるかどうかの判定を、現在の位置において取得可能な情報と静止環境情報記憶領域１５１に記憶されている情報とが一致するかどうかに加えて、待ち受け基地局からの受信信号レベルを所定の最低値と比較して行うので、判定精度の向上を図ることができる。したがって、本実施の形態では、周辺基地局のサーチや周辺基地局からの受信信号レベルの測定の停止・再開を適切に行うことができる。
【００８８】
また、本実施の形態では、携帯電話機が移動して異なる場所へ移った場合でも、速やかに周辺基地局のサーチや周辺基地局からの受信信号レベルの測定を再開することができる。これによって、本実施の形態では、着信率の低下や圏外になるべきではないところで圏外になってしまうという問題を防ぐことができる。よって、本実施の形態では、適用範囲が広く、誤判定の少ない消費電流の削減技術を実現することができる。
【００８９】
図１６は本発明の第５の実施の形態に係る携帯電話機の構成を示すブロック図である。図１６において、本発明の第５の実施の形態に係る携帯電話機１ｄは、図１に示す本発明の第１の実施の形態に係る携帯電話機１の構成に加えて、記憶部１５に閾値記憶領域１５５を追加している。
【００９０】
図１７は本発明の第５の実施の形態に係る携帯電話機１ｄの遷移状態を示す図であり、図１８は本発明の第５の実施の形態に係る携帯電話機１ｄの制御部１３の判定部１３１による判定手順の一例を示すフローチャートである。尚、本発明の第５の実施の形態に係る携帯電話機１ｄの静止環境情報の記憶処理の手順、並びにサーチ及び信号レベル測定の停止手順については、それぞれ図４及び図６に示す手順、つまり本発明の第１の実施の形態に係る携帯電話機１と同じ手順となっている。
【００９１】
本発明の第５の実施の形態に係る携帯電話機１ｄの記憶部１５の最低値記憶領域１５５には、所定の閾値が記憶されている。この閾値は、ディフォルトで予め定めておいてもよいし、携帯電話機１ｄの使用者が自由に設定できるようにしてもよい。ここでは、仮に、ディフォルトで−９５ｄＢｍが記憶されているものとする。
【００９２】
図１６〜図１８を参照して、本発明の第５の実施の形態に係る携帯電話機１ｄの制御部１３の判定部１３１による判定手順の一例について説明する。
【００９３】
判定部１３１は、待ち受け状態において、現在の位置において取得可能な情報を、無線部１２等を通じて取得する（図１８ステップＳ７１）。判定部１３１は、この取得した情報と静止環境情報記憶領域１５１に記憶されている情報との比較を行う（図１８ステップＳ７２）。判定部１３１は、この比較の結果、取得した情報と静止環境情報記憶領域１５１に記憶されている情報とが一致するか否かの判断を行う（図１８ステップＳ７３）。
【００９４】
尚、本実施の形態では、上記の本発明の第４の実施の形態と同様に、ステップＳ７２において、現在の位置において取得可能な情報の一例として、現在待ち受け基地局となっている基地局に関する「基地局を特定する情報」を比較に用いることとする。
【００９５】
判定部１３１は、比較の結果、現在の待ち受け基地局に関する「基地局を特定する情報」と静止環境情報記憶領域１５１に記憶されている情報とが一致すると判断した場合（図１８ステップＳ７３においてＹＥＳ）、記憶部１５の閾値記憶領域１５５に記憶された閾値を読出し、これと現在の待ち受け基地局からの受信信号レベルとの比較を行う（図１８ステップＳ７４）。
【００９６】
判定部１３１は、比較の結果、現在の待ち受け基地局からの受信信号レベルが、上記の閾値以上であると判断した場合（図１８ステップＳ７５においてＹＥＳ）、携帯電話機１ｄが静止していることの多い場所として登録された場所、すなわち「特定の場所」にあると判定する（図１８ステップＳ７６）。判定部１３１は、その判定結果を停止部１３２に出力する（図１８ステップＳ７７）。
【００９７】
一方、判定部１３１は、現在の待ち受け基地局に関する「基地局を特定する情報」と静止環境情報記憶領域１５１に記憶されている情報とが異なると判断した場合（図１８ステップＳ７３においてＮＯ）、もしくは現在の待ち受け基地局からの受信信号レベルが記憶部１５の閾値記憶領域１５５に記憶された閾値未満であると判断した場合（図１８ステップＳ７５においてＮＯ）、携帯電話機１ｄが「特定の場所」から外れていると判定する（図１８ステップＳ７８）。判定部１３１は、その判定結果を停止部１３２に出力する（図１８ステップＳ７７）。
【００９８】
図１７の（１）に示す例では、サーチの結果、基地局Ａと基地局Ｂとが検出されているものとする。図１７の（１）に示すように、携帯電話機１ｄが自宅に存在する場合には、基地局Ａが待ち受け基地局であるため、現在の待ち受け基地局に関する「基地局を特定する情報」と静止環境情報記憶領域１５１に記憶されている情報とが一致する。
【００９９】
また、基地局Ａからの現在の受信信号レベルは−８２ｄＢｍであり、記憶部１５の閾値記憶領域１５５に記憶された閾値である−９５ｄＢｍ以上である。したがって、携帯電話機１ｄは、自機が「特定の場所」にあると判定し、未検出の周辺基地局のサーチと検出された周辺基地局（この例では、基地局Ｂ）からの受信信号レベルの測定の両方、もしくはそれらのうちのいずれか一方を停止する。
【０１００】
次に、携帯電話機１ｄが屋外に移動して、図１７の（２）に示す状態になったとする。ここでは、サーチの結果、基地局Ａと基地局Ｃとが検出されているものとする。この場合には、待ち受け基地局が基地局Ｃになったとすると、現在の待ち受け基地局に関する「基地局を特定する情報」と静止環境情報記憶領域１５１に記憶されている情報とが異なるため、携帯電話機１ｄは「特定の場所」から外れたと判定される。
【０１０１】
一方、図１７の（２）に示す状態において、待ち受け基地局が基地局Ａのままであったとしても、受信信号レベルが−９８ｄＢｍとなり、閾値記憶領域１５５に記憶された閾値である−９５ｄＢｍを下回るため、携帯電話機１ｄは「特定の場所」から外れたと判定される。したがって、携帯電話機１ｄは、未検出の周辺基地局のサーチと検出された周辺基地局からの受信信号レベルの測定とを再開する。尚、未検出の周辺基地局のサーチと検出された周辺基地局からの受信信号レベルの測定とのいずれか一方を停止していた場合には、その停止していた方を再開する。
【０１０２】
このように、本実施の形態では、「特定の場所」にあるかどうかの判定を、現在の位置において取得可能な情報と静止環境情報記憶領域１５１に記憶されている情報とが一致するかどうかに加えて、待ち受け基地局からの受信信号レベルを所定の閾値と比較して行うので、比較的簡易な構成にて、判定精度の向上を図ることができる。したがって、本実施の形態では、周辺基地局のサーチや周辺基地局からの受信信号レベルの測定の停止・再開を適切に行うことができる。
【０１０３】
また、本実施の形態では、携帯電話機が移動して異なる場所へ移った場合でも、速やかに周辺基地局のサーチや周辺基地局からの受信信号レベルの測定を再開することができる。これによって、本実施の形態では、着信率の低下や圏外になるべきではないところで圏外になってしまうという問題を防ぐことができる。よって、本実施の形態では、適用範囲が広く、誤判定の少ない消費電流の削減技術を実現することができる。
【０１０４】
図１９は本発明の第６の実施の形態に係る携帯電話機の構成を示すブロック図である。図１９において、本発明の第６の実施の形態に係る携帯電話機１ｅは、図１に示す本発明の第１の実施の形態に係る携帯電話機１の構成に加えて、ＧＰＳ部１６を追加している。
【０１０５】
図２０は本発明の第６の実施の形態に係る携帯電話機１ｅの制御部１３による静止環境情報の記憶処理の手順の一例を示すフローチャートであり、図２１は本発明の第６の実施の形態に係る携帯電話機１ｅの制御部１３の判定部１３１による判定手順の一例を示すフローチャートである。尚、本発明の第６の実施の形態に係る携帯電話機１ｅのサーチ及び信号レベル測定の停止手順については、図６に示す手順、つまり本発明の第１の実施の形態に係る携帯電話機１と同じ手順となっている。
【０１０６】
本発明の第６の実施の形態に係る携帯電話機１ｅのＧＰＳ部１６は、ＧＰＳ衛星（図示せず）からの信号を受信するＧＰＳ受信部１６１と、ＧＰＳ受信部１６１によって受信した信号に基づいて携帯電話機１ｅの位置に関する情報である測位情報を得る測位部１６２とを含んでいる。
【０１０７】
図１９及び図２０を参照して、本発明の第６の実施の形態に係る携帯電話機１ｅの制御部１３による静止環境情報の記憶処理の手順の一例について説明する。
【０１０８】
携帯電話機１ｅの制御部１３は、使用者による本体操作部１４の所定の操作があると（図２０ステップＳ８１においてＹＥＳ）、その場所を静止していることの多い場所、すなわち静止環境として登録する（図２０ステップＳ８２）。尚、上記の本発明の第１の実施の形態と同様に、静止環境の登録については、携帯電話機１ｅの使用者による所定の操作に応じて行うようにしてもよいし、自動的に行うようにしてもよい。
【０１０９】
そして、制御部１３は、その場所において、ＧＰＳ受信部１６１によって受信したＧＰＳ衛星からの信号に基づいて、測位部１６２から測位情報を得る（図２０ステップＳ８３）。制御部１３は、この測位情報を静止環境情報として、記憶部１５の静止環境情報記憶領域１５１に記憶する（図２０ステップＳ８４）。尚、静止環境情報記憶領域１５１に記憶する測位情報には、必要に応じて、範囲を持たせてもよい。
【０１１０】
次に、図１９及び図２１を参照して、本発明の第６の実施の形態に係る携帯電話機１ｅの制御部１３の判定部１３１による判定手順の一例について説明する。
【０１１１】
判定部１３１は、現在の位置においてＧＰＳ受信部１６１によって受信したＧＰＳ衛星からの信号に基づいて、測位部１６２から測位情報を取得する（図２１ステップＳ９１）。判定部１３１は、この取得した測位情報と静止環境情報記憶領域１５１に記憶されている情報との比較を行う（図２１ステップＳ９２）。判定部１３１は、この比較の結果、取得した測位情報と静止環境情報記憶領域１５１に記憶されている情報とが一致するか否かの判断を行う（図２１ステップＳ９３）。尚、静止環境情報記憶領域１５１に記憶する測位情報に範囲を持たせた場合には、取得した測位情報がその範囲に含まれる場合に、一致すると判断するようにすれば良い。
【０１１２】
判定部１３１は、比較の結果、現在の位置において得られた測位情報と静止環境情報記憶領域１５１に記憶されている情報とが一致すると判断した場合（図２１ステップＳ９３においてＹＥＳ）、携帯電話機１ｅが静止していることの多い場所として登録された場所、すなわち「特定の場所」にあると判定する（図２１ステップＳ９４）。判定部１３１は、その判定結果を停止部１３２に出力する（図２１ステップＳ９５）。
【０１１３】
一方、判定部１３１は、比較の結果、現在の位置において得られた測位情報と静止環境情報記憶領域１５１に記憶されている情報とが異なると判断した場合（図２１ステップＳ９３においてＮＯ）、携帯電話機１ｅが「特定の場所」から外れていると判定する（図２１ステップＳ９６）。判定部１３１は、その判定結果を停止部１３２に出力する（図２１ステップＳ９５）。
【０１１４】
このように、本実施の形態では、「特定の場所」にあるかどうかの判定を、現在の位置において取得される測位情報と静止環境情報記憶領域１５１に記憶されている情報とが一致するかどうかに応じて行うので、電界強度の極めて低い環境においても、周辺基地局のサーチや周辺基地局からの受信信号レベルの測定の停止・再開を適切に行うことができる。よって、本実施の形態では、適用範囲が広く、誤判定の少ない消費電流の削減技術を実現することができる。
【０１１５】
図２２は本発明の第７の実施の形態に係る携帯電話機の構成を示すブロック図である。図２２において、本発明の第７の実施の形態に係る携帯電話機１ｆは、図１９に示す本発明の第６の実施の形態に係る携帯電話機１ｅの記憶部１５の静止環境情報記憶領域１５１に代えて弱電界環境情報記憶領域１５６を備えている。
【０１１６】
図２３は本発明の第７の実施の形態に係る携帯電話機１ｆの制御部１３による弱電界環境情報の記憶処理の手順の一例を示すフローチャートであり、図２４は本発明の第７の実施の形態に係る携帯電話機１ｆの制御部１３の判定部１３１による判定手順の一例を示すフローチャートである。尚、本発明の第７の実施の形態に係る携帯電話機１ｆのサーチ及び信号レベル測定の停止手順については、図６に示す手順、つまり本発明の第１の実施の形態に係る携帯電話機１と同じ手順となっている。
【０１１７】
本発明の第７の実施の形態に係る携帯電話機１ｆの記憶部１５の弱電界環境情報記憶領域１５６には、弱電界環境情報が記憶される。ここで、「弱電界環境情報」とは、例えば山間部や高層ビルの密集地帯のように、携帯電話機１ｆの電界強度が弱いことの多い場所（弱電界環境）において取得された各種の情報のことをいう。
【０１１８】
図２２及び図２３を参照して、本発明の第７の実施の形態に係る携帯電話機１ｆの制御部１３による弱電界環境情報の記憶処理の手順の一例について説明する。
【０１１９】
この例では、携帯電話機１ｆの使用者が、山間部や高層ビルの密集地帯等の電界強度の弱いことが多い場所であると認識している場所において、携帯電話機１ｆの本体操作部１４の所定の操作を行うことによって、その場所を弱電界環境として登録しておくことができるようになっている。
【０１２０】
携帯電話機１ｆの制御部１３は、使用者による本体操作部１４の所定の操作があると（図２３ステップＳ１０１においてＹＥＳ）、その場所を電界強度の弱いことが多い場所、すなわち弱電界環境として登録する（図２３ステップＳ１０２）。
【０１２１】
そして、制御部１３は、その場所において、ＧＰＳ受信部１６１によって受信したＧＰＳ衛星からの信号に基づいて、測位部１６２から測位情報を得る（図２３ステップＳ１０３）。制御部１３は、この測位情報を弱電界環境情報として、記憶部１５の弱電界環境情報記憶領域１５６に記憶する（図２３ステップＳ１０４）。尚、弱電界環境情報記憶領域１５６に記憶する測位情報には、必要に応じて、範囲を持たせてもよい。
【０１２２】
次に、図２２及び図２４を参照して、本発明の第７の実施の形態に係る携帯電話機１ｆの制御部１３の判定部１３１による判定手順の一例について説明する。
【０１２３】
判定部１３１は、現在の位置においてＧＰＳ受信部１６１によって受信したＧＰＳ衛星からの信号に基づいて、測位部１６２から測位情報を取得する（図２４ステップＳ１１１）。判定部１３１は、取得した測位情報と弱電界環境情報記憶領域１５５に記憶されている情報との比較を行う（図２４ステップＳ１１２）。判定部１３１は、この比較の結果、取得した測位情報と弱電界環境情報記憶領域１５５に記憶されている情報とが一致するか否かの判断を行う（図２４ステップＳ１１３）。尚、静止環境情報記憶領域１５１に記憶する測位情報に範囲を持たせた場合には、取得した測位情報がその範囲に含まれる場合に、一致すると判断するようにすれば良い。
【０１２４】
判定部１３１は、比較の結果、現在の位置において得られた測位情報と弱電界環境情報記憶領域１５６に記憶されている情報とが一致すると判断した場合（図２４ステップＳ１１３においてＹＥＳ）、携帯電話機１ｆが電界強度の弱いことが多い場所として登録された場所、すなわち「特定の場所」にあると判定する（図２４ステップＳ１１４）。判定部１３１は、その判定結果を停止部１３２に出力する（図２４ステップＳ１１５）。
【０１２５】
一方、判定部１３１は、現在の位置において得られた測位情報と弱電界環境情報記憶領域１５６に記憶されている情報とが異なると判断した場合（図２４ステップＳ１１３においてＮＯ）、携帯電話機１ｆが「特定の場所」から外れていると判定する（図２４ステップＳ１１６）。判定部１３１は、その判定結果を停止部１３２に出力する（図２４ステップＳ１１５）。
【０１２６】
このように、本実施の形態では、「特定の場所」にあるかどうかの判定を、現在の位置において取得される測位情報と弱電界環境情報記憶領域１５６に記憶されている情報とが一致するかどうかに応じて行うので、弱電界環境において、無駄に周辺基地局のサーチや周辺基地局からの受信信号レベルの測定を行うことを防止することができる。よって、本実施の形態では、適用範囲が広く、誤判定の少ない消費電流の削減技術を実現することができる。
【０１２７】
尚、本実施の形態においては、使用者が、電界強度の弱いことが多い場所であると認識している場所において、本体操作部１４の所定の操作を行うことによって、その場所を弱電界環境として登録するとともに、その場所で取得できる弱電界環境情報が記憶部１５の弱電界環境情報記憶領域１５６に記憶されるが、これに限られるものではない。本実施の形態では、携帯電話機１ｆが自動的に電界強度の弱いことが多い場所を認識し、その場所を弱電界環境として登録するとともに、その場所で取得できる情報を、弱電界環境情報として記憶部１５の弱電界環境情報記憶領域１５６に記憶するようにしてもよい。
【０１２８】
携帯電話機１ｆが自動的に電界強度の弱いことが多い場所を登録するためには、一例として、測定された電界強度が所定の閾値を下回ったことを検出した場合、その場所を電界強度の弱いことが多い場所、すなわち弱電界環境として登録するようにしてもよい。また、他の例としては、測定された電界強度が所定の閾値を下回ったことを検出した場合、その検出した回数をカウントし、カウントした回数が所定の回数を超えた時に、その場所を弱電界環境として登録するようにしてもよい。
【０１２９】
さらに、本実施の形態においては、弱電界環境において取得される測位情報を予め弱電界環境情報記憶領域１５６に記憶しておき、現在の位置において取得できる測位情報と弱電界環境情報記憶領域１５６に記憶された情報とを比較して、「特定の場所」にあるかどうかの判定を行っているが、これに限られるものではない。本実施の形態では、弱電界環境において取得される「基地局を特定する情報」を予め弱電界環境情報記憶領域１５６に記憶しておき、現在の位置において取得できる「基地局を特定する情報」と弱電界環境情報記憶領域１５６に記憶された情報とを比較して、「特定の場所」にあるかどうかの判定を行ってもよい。
【０１３０】
図２５は本発明の第８の実施の形態に係る携帯電話機の構成を示すブロック図である。図２５において、携帯電話機１ｇは、アンテナ１１と、無線部１２と、制御部（ＣＰＵ）１３と、本体操作部１４と、記憶部１５と、充電装置検出部１７とを含んで構成されている。
【０１３１】
図２６は本発明の第８の実施の形態に係る携帯電話機１ｇの制御部１３の判定部１３１による判定手順の一例を示すフローチャートである。尚、本発明の第８の実施の形態に係る携帯電話機１ｇのサーチ及び信号レベル測定の停止手順については、図６に示す手順、つまり本発明の第１の実施の形態に係る携帯電話機１と同じ手順となっている。
【０１３２】
本発明の第８の実施の形態に係る携帯電話機１ｇの充電装置検出部１７は、携帯電話機１ｇ、すなわち自機が充電用の装置（図示せず）に接続されたこと、及び自機が充電用の装置から取り外されたことを検出する。
【０１３３】
図２５及び図２６を参照して、本発明の第８の実施の形態に係る携帯電話機１ａの制御部１３の判定部１３１による判定手順の一例について説明する。
【０１３４】
判定部１３１は、充電装置検出部１７によって携帯電話機１ｇが充電用の装置に接続されたことを検出すると（図２６ステップＳ１２１においてＹＥＳ）、携帯電話機１ｇが「特定の場所」にあると判定する（図２６ステップＳ１２２）。判定部１３１は、その判定結果を停止部１３２に出力する（図２６ステップＳ１２３）。
【０１３５】
その後、判定部１３１は、充電装置検出部１７によって携帯電話機１ｇが充電用の装置から取り外されたことを検出すると（図２６ステップＳ１２４においてＹＥＳ）、携帯電話機１ｇが「特定の場所」から外れたと判定する（図２６ステップＳ１２５）。判定部１３１は、その判定結果を停止部１３２に出力する（図２６ステップＳ１２６）。
【０１３６】
このように、本実施の形態では、携帯電話機１ｇが充電用の装置に接続されると、「特定の場所」にいると判定し、携帯電話機１ｇが充電用の装置から取り外されると、「特定の場所」から外れたと判定するので、周辺基地局のサーチや周辺基地局からの受信信号レベルの測定の停止・再開を確実に行うことができる。よって、本実施の形態では、適用範囲が広く、誤判定の少ない消費電流の削減技術を実現することができる。
【０１３７】
尚、本実施の形態では、携帯電話機１ｇが充電用の装置に接続されたことが検出されると、携帯電話機１ｇが「特定の場所」にあると判定するが、さらに、検出された充電用の装置の種類に応じて、「特定の場所」にあると判定するように制御してもよい。例えば、接続された充電用の装置が自動車のシガープラグ用のものであることを識別した場合には、「特定の場所」にあると判定しないように制御してもよい。
【０１３８】
図２７は本発明の第９の実施の形態に係る携帯電話機の構成を示すブロック図である。図２７において、本発明の第９の実施の形態に係る携帯電話機１ｈは、図１に示す本発明の第１の実施の形態に係る携帯電話機１の無線部１２に代えて、ＷＣＤＭＡの通信システムに対応可能なＷＣＤＭＡ用無線部１２Ｗと、ＧＳＭの通信システムに対応可能なＧＳＭ用無線部１２Ｇとを備え、複数の通信システムに対応可能に構成されている。
【０１３９】
ＷＣＤＭＡ用無線部１２Ｗは、ＷＣＤＭＡ用サーチ部１２１Ｗと、ＷＣＤＭＡ用測定部１２２Ｗとを備え、ＧＳＭ用無線部１２Ｇは、ＧＳＭ用サーチ部１２１Ｇと、ＧＳＭ用測定部１２２Ｇとを備えている。
【０１４０】
図２８は本発明の第９の実施の形態に係る携帯電話機１ｈの制御部１３の停止部１３２によるサーチ及び信号レベル測定の停止手順の一例である。図２７及び図２８を参照して、本実施の形態におけるサーチ及び信号レベル測定の停止処理の手順の一例について説明する。
【０１４１】
停止部１３２は、判定部１３１から携帯電話機１ｈが「特定の場所」にあると判定された旨の判定結果の入力を受けると（図２８ステップＳ１３１においてＹＥＳ）、通常実施しているＷＣＤＭＡ用サーチ部１２１Ｗによる周辺基地局のサーチ及びＷＣＤＭＡ用測定部１２２Ｗによる受信信号レベル測定のうちの少なくとも一方を停止する（図２８スッテプＳ１３２）。
【０１４２】
また、停止部１３２は、通常実施しているＧＳＭ用サーチ部１２１Ｇによる周辺基地局のサーチ及びＧＳＭ用測定部１２２Ｇによる受信信号レベル測定のうちの少なくとも一方を停止する（図２８スッテプＳ１３３）。
【０１４３】
その後、停止部１３２は、判定部１３１から携帯電話機１ｈが「特定の場所」から外れていると判定された旨の判定結果の入力を受けるまで（図２８ステップＳ１３４においてＮＯ）、図２８ステップＳ１３２で停止したＷＣＤＭＡ用サーチ部１２１Ｗによる周辺基地局のサーチ及びＷＣＤＭＡ用測定部１２２Ｗによる受信信号レベル測定のうちの少なくとも一方、並びに、図２８ステップＳ１３３で停止したＧＳＭ用サーチ部１２１Ｇによる周辺基地局のサーチ及びＧＳＭ用測定部１２２Ｇによる受信信号レベル測定のうちの少なくとも一方をそれぞれ停止した状態を継続する。
【０１４４】
一方、停止部１３２は、判定部１３１から携帯電話機１ｈが「特定の場所」から外れていると判定された旨の判定結果の入力を受けると（図２８ステップＳ１３４においてＹＥＳ）、ＷＣＤＭＡ用サーチ部１２１Ｗによる周辺基地局のサーチ及びＷＣＤＭＡ用測定部１２２Ｗによる受信信号レベル測定を再開する（図２８ステップＳ１３５）。同様に、停止部１３２は、ＧＳＭ用サーチ部１２１Ｇによる周辺基地局のサーチ及びＧＳＭ用測定部１２２Ｇによる受信信号レベル測定を再開する（図２８ステップＳ１３６）。
【０１４５】
この時、図２８ステップＳ１３２の処理において、ＷＣＤＭＡ用サーチ部１２１Ｗによる周辺基地局のサーチ及びＷＣＤＭＡ用測定部１２２Ｗによる受信信号レベル測定の両方を停止したのであれば、図２８ステップＳ１３５の処理では、それらの両方を再開することになる。また、ＷＣＤＭＡ用サーチ部１２１Ｗによる周辺基地局のサーチ及びＷＣＤＭＡ用測定部１２２Ｗによる受信信号レベル測定のうちのいずれか一方だけを停止したのであれば、停止した方だけを再開することになる。
【０１４６】
同様に、図２８ステップＳ１３３の処理において、ＧＳＭ用サーチ部１２１Ｇによる周辺基地局のサーチ及びＧＳＭ用測定部１２２Ｇによる受信信号レベル測定の両方を停止したのであれば、図２８ステップＳ１３６の処理では、それらの両方を再開することになる。また、ＧＳＭ用サーチ部１２１Ｇによる周辺基地局のサーチ及びＧＳＭ用測定部１２２Ｇによる受信信号レベル測定のうちのいずれか一方だけを停止したのであれば、停止した方だけを再開することになる。
【０１４７】
その後、停止部１３２は、再び図２８ステップＳ１３１の処理に戻り、判定部１３１から携帯電話機１ｈが「特定の場所」にあると判定された旨の判定結果の入力がないかの監視を続ける。
【０１４８】
このように、本実施の形態では、携帯電話機１ｈが複数の通信システムに対応する場合に、対応する全ての通信システムについて、サーチ部による周辺基地局のサーチ及び測定部による受信信号レベルの測定の少なくとも一方を停止するので、さらなる消費電流の削減を図ることができる。
【０１４９】
本実施の形態では、複数の通信システムの例として、ＷＣＤＭＡとＧＳＭとを挙げているが、これらに限られるものではない。これら以外のシステムに対応する携帯電話機についても、上記と同様にして、本発明を適用することが可能である。また、３つ以上の通信システムに対応する場合であっても、上記と同様にして、本発明を適用することができる。
【０１５０】
尚、本実施の形態では、携帯電話機１ｈが複数の通信システムに対応する場合に、対応する全ての通信システムについてサーチ部による周辺基地局のサーチ及び測定部による受信信号レベルの測定の少なくとも一方を停止するが、これに限られるものではない。本実施の形態では、対応する複数の通信システムのうち、いずれかについて、サーチ部による周辺基地局のサーチ及び測定部による受信信号レベルの測定のうちの少なくとも一方を停止してもよい。
【０１５１】
また、上記の本発明の第１の実施の形態と同様、判定部１３１から携帯電話機１ｈが「特定の場所」から外れていると判定された旨の判定結果の入力を受けた場合に（図２８ステップＳ１３４においてＹＥＳ）、ＷＣＤＭＡ用測定部１２２Ｗ、ＧＳＭ用測定部１２２Ｇによる待ち受け基地局からの受信信号レベルの測定を削減してもよい。
【０１５２】
図２９は本発明の第１０の実施の形態に係る携帯電話機の制御部による静止環境情報の記憶処理の手順の一例を示すフローチャートである。本発明の第１０の実施の形態に係る携帯電話機は、図７に示す本発明の第２の実施の形態に係る携帯電話機１ａと同様の構成となっている。また、本発明の第１０の実施の形態に係る携帯電話機の判定手順、並びにサーチ及び信号レベル測定の停止手順については、それぞれ図５及び図６に示す手順、つまり本発明の第１の実施の形態に係る携帯電話機１と同じ手順となっている。
【０１５３】
携帯電話機１ａの制御部１３は、使用者による本体操作部１４の所定の操作があると（図２９ステップＳ１４１においてＹＥＳ）、その場所を静止していることの多い場所、すなわち静止環境として登録する（図２９ステップＳ１４２）。
【０１５４】
制御部１３は、静止環境を登録すると、計時を開始し、所定時間（例えば、１０秒等）が経過すると（図２９ステップＳ１４３においてＹＥＳ）、静止環境において取得可能な各種の情報を取得する（図２９ステップＳ１４４）。制御部１３は、この取得した情報のうち、所望の情報を記憶部１５の静止環境情報記憶領域１５１に記憶する（図２９ステップＳ１４５）。
【０１５５】
このように、本実施の形態では、登録操作が行われてから所定の待ち時間が経過した後に、静止環境において取得可能な情報を取得しているので、使用者が操作を行った後、実際に携帯電話機１ａを放置する場所（例えば、鞄の中や机の上等）に置く時間を確保することができ、より正確に情報を取得することができる。
【０１５６】
これは、携帯電話機１ａを手で持っているか、机の上に置いているかといった状態や、折り畳み型携帯電話機の場合、端末を折り畳んだ状態か、開いた状態かといった状態によって、取得される情報が異なることがあるため、できるだけ通常の状態（閉じて鞄の中に入れる等）で情報を取得することが望ましいためである。
【図面の簡単な説明】
【０１５７】
【図１】本発明の第１の実施の形態に係る携帯電話機の構成例を示すブロック図である。
【図２】本発明の第１の実施の形態に係る携帯電話機の基本動作を示すフローチャートである。
【図３】本発明の第１の実施の形態に係る携帯電話機の遷移状態を示す図である。
【図４】図１の制御部による静止環境情報の記録手順の一例を示すフローチャートである。
【図５】図１の制御部の判定部による判定手順の一例を示すフローチャートである。
【図６】図１の制御部の停止部によるサーチ及び信号レベル測定の停止手順の一例を示すフローチャートである。
【図７】本発明の第２の実施の形態に係る携帯電話機の構成を示すブロック図である。
【図８】本発明の第２の実施の形態に係る携帯電話機の遷移状態を示す図である。
【図９】本発明の第２の実施の形態に係る携帯電話機の制御部による静止環境情報の記憶処理の手順の一例を示すフローチャートである。
【図１０】本発明の第３の実施の形態に係る携帯電話機の構成を示すブロック図である。
【図１１】本発明の第３の実施の形態に係る携帯電話機の遷移状態を示す図である。
【図１２】本発明の第３の実施の形態に係る携帯電話機の制御部による静止環境情報の記憶処理の手順の一例を示すフローチャートである。
【図１３】本発明の第４の実施の形態に係る携帯電話機の構成を示すブロック図である。
【図１４】本発明の第４の実施の形態に係る携帯電話機の遷移状態を示す図である。
【図１５】本発明の第４の実施の形態に係る携帯電話機の制御部の判定部による判定手順の一例を示すフローチャートである。
【図１６】本発明の第５の実施の形態に係る携帯電話機の構成を示すブロック図である。
【図１７】本発明の第５の実施の形態に係る携帯電話機の遷移状態を示す図である。
【図１８】本発明の第５の実施の形態に係る携帯電話機の制御部の判定部による判定手順の一例を示すフローチャートである。
【図１９】本発明の第６の実施の形態に係る携帯電話機の構成を示すブロック図である。
【図２０】本発明の第６の実施の形態に係る携帯電話機の制御部による静止環境情報の記憶処理の手順の一例を示すフローチャートである。
【図２１】本発明の第６の実施の形態に係る携帯電話機の制御部の判定部による判定手順の一例を示すフローチャートである。
【図２２】本発明の第７の実施の形態に係る携帯電話機の構成を示すブロック図である。
【図２３】本発明の第７の実施の形態に係る携帯電話機の制御部による弱電界環境情報の記憶処理の手順の一例を示すフローチャートである。
【図２４】本発明の第７の実施の形態に係る携帯電話機の制御部の判定部による判定手順の一例を示すフローチャートである。
【図２５】本発明の第８の実施の形態に係る携帯電話機の構成を示すブロック図である。
【図２６】本発明の第８の実施の形態に係る携帯電話機の制御部の判定部による判定手順の一例を示すフローチャートである。
【図２７】本発明の第９の実施の形態に係る携帯電話機の構成を示すブロック図である。
【図２８】本発明の第９の実施の形態に係る携帯電話機の制御部の停止部によるサーチ及び信号レベル測定の停止手順の一例である。
【図２９】本発明の第１０の実施の形態に係る携帯電話機の制御部による静止環境情報の記憶処理の手順の一例を示すフローチャートである。
【符号の説明】
【０１５８】
１，１ａ〜１ｈ  携帯電話機
１１  アンテナ
１２  無線部
１２Ｇ  ＧＳＭ用無線部
１２Ｗ  ＷＣＤＭＡ用無線部
１３  制御部
１４  本体操作部
１５  記憶部
１６  ＧＰＳ部
１７  充電装置検出部
１２１  サーチ部
１２１Ｇ  ＧＳＭ用サーチ部
１２１Ｗ  ＷＣＤＭＡ用サーチ部
１２２  測定部
１２２Ｇ  ＧＳＭ用測定部
１２２Ｗ  ＷＣＤＭＡ用測定部
１３１  判定部
１３２  停止部
１５１  静止環境情報記憶領域
１５２  信号レベル記録領域
１５３  待ち受け基地局時間記録領域
１５４  最低値記憶領域
１５５  閾値記憶領域
１５６  弱電界環境情報記憶領域
１６１  ＧＰＳ受信部
１６２  測位部
【図１】
2009182539.tif 000003
【図２】
2009182539.tif 000004
【図３】
2009182539.tif 000005
【図４】
2009182539.tif 000006
【図５】
2009182539.tif 000007
【図６】
2009182539.tif 000008
【図７】
2009182539.tif 000009
【図８】
2009182539.tif 000010
【図９】
2009182539.tif 000011
【図１０】
2009182539.tif 000012
【図１１】
2009182539.tif 000013
【図１２】
2009182539.tif 000014
【図１３】
2009182539.tif 000015
【図１４】
2009182539.tif 000016
【図１５】
2009182539.tif 000017
【図１６】
2009182539.tif 000018
【図１７】
2009182539.tif 000019
【図１８】
2009182539.tif 000020
【図１９】
2009182539.tif 000021
【図２０】
2009182539.tif 000022
【図２１】
2009182539.tif 000023
【図２２】
2009182539.tif 000024
【図２３】
2009182539.tif 000025
【図２４】
2009182539.tif 000026
【図２５】
2009182539.tif 000027
【図２６】
2009182539.tif 000028
【図２７】
2009182539.tif 000029
【図２８】
2009182539.tif 000030
【図２９】
2009182539.tif 000031